(57)【要約】【課題】基地局同士で、端末装置の移動を促す。【解決手段】管理サーバは、基地局からのトラフィック情報に基づいて、基地局がカバーするエリアに在圏した端末装置のデータ通信量を無制限にするかを判定するための第１情報を生成する生成部と、第１情報と端末装置からの第２情報とに基づいて、端末装置のデータ通信量を無制限にするかを判定する判定部と、端末装置のデータ通信量を無制限にする場合に、計測サーバへ端末装置のユーザ識別情報とデータ通信量を無制限にする情報とを送信し、端末装置へデータ通信量を無制限することを通知する送信部とを備え、計測サーバは、受信部と、データ量を計測する計測部とを備え、計測部は、受信部が端末装置のユーザ識別情報とデータ通信量を無制限にする情報とを受信した場合に、端末装置からのデータ量を課金しないデータ量として計測する。【選択図】図１
2018033094.tif 000002
【特許請求の範囲】
【請求項１】
管理サーバと、データ量計測サーバとを備える通信システムであって、
管理サーバは、
基地局から送信されるトラフィック情報に基づいて、該基地局がカバーするエリアに在圏した端末装置のデータ通信量を無制限にするか否かを判定するための第１の情報を生成する生成部と、
前記生成部が生成した前記第１の情報と、端末装置から取得する第２の情報とに基づいて、該端末装置のデータ通信量を無制限にするか否かを判定する判定部と、
前記判定部が該端末装置のデータ通信量を無制限にすると判定した場合に、データ量計測サーバへ、該端末装置のユーザの識別情報とデータ通信量を無制限にすることを表す情報とを送信するとともに、該端末装置へ、データ通信量を無制限することを通知する送信部と
を備え、
前記データ量計測サーバは、
端末装置が送信するデータを受信する受信部と、
前記受信部によって受信される前記端末装置からのデータ量を計測する計測部と
を備え、
前記計測部は、前記受信部が端末装置のユーザの識別情報とデータ通信量を無制限にすることを表す情報とを受信した場合に、該端末装置からのデータ量を利用データ量として計測しない、通信システム。
【請求項２】
前記判定部が、端末装置のデータ通信量を無制限にすると判定した後に、該端末装置のデータ通信量を無制限にしないと判定した場合に、前記送信部は、前記データ量計測サーバへ、該端末装置のユーザの識別情報とデータ通信量を無制限にしないことを表す情報とを送信し、
前記計測部は、前記受信部が端末装置のユーザの識別情報とデータ通信量を無制限にしないことを表す情報とを受信した場合に、該端末装置からのデータ量を利用データ量として計測する、請求項１に記載の通信システム。
【請求項３】
前記第１の情報は、基地局がカバーするエリアがデータ通信量を無制限にするエリアに該当するか否かを表す情報である、請求項１又は請求項２に記載の通信システム。
【請求項４】
前記第２の情報は、端末装置が位置登録する際に、該端末装置が送信する情報である、請求項１から請求項３のいずれか１項に記載の通信システム。
【請求項５】
基地局から送信されるトラフィック情報に基づいて、該基地局がカバーするエリアに在圏した端末装置のデータ通信量を無制限にするか否かを判定するための第１の情報を生成する生成部と、
前記生成部が生成した前記第１の情報と端末装置から取得する第２の情報とに基づいて、該端末装置のデータ通信量を無制限にするか否かを判定する判定部と、
前記判定部が該端末装置のデータ通信量を無制限にすると判定した場合に、データ量計測サーバへ、該端末装置のユーザの識別情報とデータ通信量を無制限にすることを表す情報とを送信するとともに、該端末装置へ、データ通信量を無制限することを通知する送信部と
を備える、管理サーバ。
【請求項６】
端末装置が送信するデータを受信する受信部と、
前記受信部によって受信される前記端末装置からのデータ量を計測する計測部と
を備え、
前記計測部は、前記受信部が端末装置のユーザの識別情報と、データ通信量を無制限にすることを表す情報とを受信した場合に、該端末装置からのデータ量を利用データ量として計測しない、データ量計測サーバ。
【請求項７】
管理サーバによって実行される管理方法であって、
基地局から送信されるトラフィック情報に基づいて、該基地局がカバーするエリアに在圏した端末装置のデータ通信量を無制限にするか否かを判定するための第１の情報を生成するステップと、
前記生成するステップにおいて生成した第１の情報と端末装置から取得する第２の情報とに基づいて、該端末装置のデータ通信量を無制限にするか否かを判定するステップと、
前記判定するステップにおいて該端末装置のデータ通信量を無制限にすると判定した場合に、データ量計測サーバへ、該端末装置のユーザの識別情報とデータ通信量を無制限にすることを表す情報とを送信するステップと、
前記判定するステップにおいて該端末装置のデータ通信量を無制限にすると判定した場合に、該端末装置へ、データ通信量を無制限することを通知するステップと
を有する、管理方法。
【請求項８】
データ量計測サーバによって実行される計測方法であって、
端末装置が送信するデータを受信するステップと、
端末装置のユーザの識別情報とデータ通信量を無制限にすることを表す情報とを受信するステップと、
該端末装置からのデータ量を利用データ量として計測しないステップと
を有する、計測方法。
【請求項９】
管理サーバのコンピュータに、
基地局から送信されるトラフィック情報に基づいて、該基地局がカバーするエリアに在圏した端末装置のデータ通信量を無制限にするか否かを判定するための第１の情報を生成するステップと、
前記生成するステップにおいて生成した第１の情報と端末装置から取得する第２の情報とに基づいて、該端末装置のデータ通信量を無制限にするか否かを判定するステップと、
前記判定するステップにおいて該端末装置のデータ通信量を無制限にすると判定した場合に、データ量計測サーバへ、該端末装置のユーザの識別情報とデータ通信量を無制限にすることを表す情報とを送信するステップと、
前記判定するステップにおいて該端末装置のデータ通信量を無制限にすると判定した場合に、該端末装置へ、データ通信量を無制限することを通知するステップと
を実行させる、プログラム。
【請求項１０】
データ量計測サーバのコンピュータに、
端末装置が送信するデータを受信するステップと、
端末装置のユーザの識別情報とデータ通信量を無制限にすることを表す情報とを受信するステップと、
該端末装置からのデータ量を利用データ量として計測しないとして計測するステップと
を実行させる、プログラム。
【請求項１１】
管理サーバと、データ量計測サーバとを備える通信システムであって、
管理サーバは、
一又は複数の基地局の各々から送信されるトラフィック情報に基づいて、該一又は複数の基地局のうち、在圏した端末装置のデータ通信量を無制限にする基地局の識別情報を取得する取得部と、
データ量計測サーバへ、前記取得部が取得した基地局の識別情報を送信するとともに、該基地局がカバーしているエリアに在圏した端末装置へ、データ通信量を無制限することを通知する送信部と
を備え、
前記データ量計測サーバは、
基地局から、端末装置が送信したデータと該端末装置が在圏している基地局の識別情報とを受信する受信部と、
前記受信部が受信した該端末装置が送信したデータ量を計測する計測部と
を備え、
前記受信部は、前記管理サーバから基地局の識別情報を受信し、
前記計測部は、前記管理サーバから受信した前記基地局の識別情報に、基地局から受信した基地局の識別情報が含まれる場合に、該基地局に在圏する端末装置からのデータ量を利用データ量として計測しない、通信システム。
【請求項１２】
前記取得部は、一又は複数の基地局の各々から送信されるトラフィック情報に基づいて、トラフィック量が閾値未満である基地局の識別情報を取得する、請求項１１に記載の通信システム。
【請求項１３】
前記計測部は、前記管理サーバから受信した前記基地局の識別情報に、基地局から受信した基地局の識別情報が含まれる状態から、含まれない状態になった場合に、含まれない状態となった基地局に在圏する端末装置からのデータ量を利用データ量として計測する、請求項１１又は請求項１２に記載の通信システム。
【請求項１４】
一又は複数の基地局の各々から送信されるトラフィック情報に基づいて、該一又は複数の基地局のうち、在圏した端末装置のデータ通信量を無制限にする基地局の識別情報を取得する取得部と、
データ量計測サーバへ、前記取得部が取得した基地局の識別情報を送信するとともに、該基地局がカバーしているエリアに在圏した端末装置へ、データ通信量を無制限することを通知する送信部と
を備える、管理サーバ。
【請求項１５】
基地局から、端末装置が送信したデータと該端末装置が在圏している基地局の識別情報とを受信する受信部と、
前記受信部が受信した該端末装置が送信したデータ量を計測する計測部と
を備え、
前記受信部は、管理サーバから、基地局の識別情報を受信し、
前記計測部は、前記管理サーバから受信した前記基地局の識別情報に、基地局から受信した基地局の識別情報が含まれる場合に、該基地局に在圏する端末装置からのデータ量を利用データ量として計測しない、データ量計測サーバ。
【請求項１６】
管理サーバによって実行される管理方法であって、
一又は複数の基地局の各々から送信されるトラフィック情報に基づいて、該一又は複数の基地局のうち、在圏した端末装置のデータ通信量を無制限にする基地局の識別情報を取得するステップと、
データ量計測サーバへ、前記取得するステップにおいて取得した基地局の識別情報を送信するとともに、該基地局がカバーしているエリアに在圏した端末装置へ、データ通信量を無制限することを通知するステップと
を有する、管理方法。
【請求項１７】
データ量計測サーバによって実行される計測方法であって、
基地局から、端末装置が送信したデータと該端末装置が在圏している基地局の識別情報とを受信するステップと、
前記受信するステップにおいて受信した該端末装置が送信したデータ量を計測するステップと、
管理サーバから、基地局の識別情報を受信するステップと、
前記管理サーバから受信した前記基地局の識別情報に、基地局から受信した基地局の識別情報が含まれる場合に、該基地局に在圏する端末装置からのデータ量を利用データ量として計測しないステップと
を有する、計測方法。
【請求項１８】
管理サーバのコンピュータに、
一又は複数の基地局の各々から送信されるトラフィック情報に基づいて、該一又は複数の基地局のうち、在圏した端末装置のデータ通信量を無制限にする基地局の識別情報を取得するステップと、
データ量計測サーバへ、前記取得するステップにおいて取得した基地局の識別情報を送信するステップと、
該基地局がカバーしているエリアに在圏した端末装置へ、データ通信量を無制限することを通知するステップと
を実行させる、プログラム。
【請求項１９】
データ量計測サーバのコンピュータに、
基地局から、端末装置が送信したデータと該端末装置が在圏している基地局の識別情報とを受信するステップと、
前記受信するステップにおいて受信した該端末装置が送信したデータ量を計測するステップと、
管理サーバから、基地局の識別情報を受信するステップと、
基地局から受信した基地局の識別情報のうち、前記管理サーバから受信した前記基地局の識別情報に含まれる基地局の識別情報に対応する基地局に在圏する端末装置からのデータ量を利用データ量として計測しないステップと
を実行させる、プログラム。
【発明の詳細な説明】
【技術分野】
【０００１】
本発明の実施形態は、通信システム、管理サーバ、データ量計測サーバ、管理方法、計測方法、及びプログラムに関する。
【背景技術】
【０００２】
スマートフォン、タブレット端末等の端末装置の普及により、データトラフィックが増加している。データトラフィックの増加に伴い、データトラフィックを収容するセルラーネットワークも進化し、大容量の通信を提供可能な無線システムとしてＬＴＥ（Long Term Evolution）が展開されている。そして、多くの無線基地局が、データトラフィックを収容するために設置されている。
無線基地局に関連して、他の無線基地局を介して無線端末に下り方向データを転送する無線基地局が知られている（例えば、特許文献１を参照）。無線基地局は、自局が送受信するトラフィック量が所定量を上回る場合に、無線端末から受信した接続要求に含まれる候補基地局情報に基づき、接続先候補基地局に接続要求を転送する。
【先行技術文献】
【特許文献】
【０００３】
【特許文献１】特開２００９−２３９７４６号公報
【発明の概要】
【発明が解決しようとする課題】
【０００４】
多くの無線基地局が設置されている状況では、トラフィックが高い無線基地局とトラフィックが低い無線基地局とが存在していることが想定される。トラフィックが高い無線基地局では、輻輳が発生するおそれがあり、輻輳が発生すると、通信が途切れがちになったり、通信データが途中で失われたり、一時的に通信不能になったりする場合がある。輻輳が発生することを回避するために、トラフィックが高い無線基地局の周辺に新たに無線基地局を設置することが想定されるが、コスト、設置するエリアがない等の制約がある。一方で、データ通信サービスは、月ごとに利用可能なデータ通信利用量が定められており、ユーザはデータの利用量を気にして使う必要がある。
本発明は、上記問題を解決すべくなされたもので、その目的は、端末装置をトラフィックが低い無線基地局への移動を促し、ユーザのデータ利用を促進することを目的とする。
【課題を解決するための手段】
【０００５】
（１）本発明の一態様は、管理サーバと、データ量計測サーバとを備える通信システムであって、管理サーバは、基地局から送信されるトラフィック情報に基づいて、該基地局がカバーするエリアに在圏した端末装置のデータ通信量を無制限にするか否かを判定するための第１の情報を生成する生成部と、前記生成部が生成した前記第1の情報と、端末装置から取得する第２の情報とに基づいて、該端末装置のデータ通信量を無制限にするか否かを判定する判定部と、前記判定部が該端末装置のデータ通信量を無制限にすると判定した場合に、データ量計測サーバへ、該端末装置のユーザの識別情報とデータ通信量を無制限にすることを表す情報とを送信するとともに、該端末装置へ、データ通信量を無制限することを通知する送信部とを備え、前記データ量計測サーバは、端末装置が送信するデータを受信する受信部と、前記受信部によって受信される前記端末装置からのデータ量を計測する計測部とを備え、前記計測部は、前記受信部が端末装置のユーザの識別情報とデータ通信量を無制限にすることを表す情報とを受信した場合に、該端末装置からのデータ量を利用データ量として計測しない、通信システムである。
（２）本発明の一態様は、上記（１）に記載の通信システムにおいて、前記判定部が、端末装置のデータ通信量を無制限にすると判定した後に、該端末装置のデータ通信量を無制限にしないと判定した場合に、前記送信部は、前記データ量計測サーバへ、該端末装置のユーザの識別情報とデータ通信量を無制限にしないことを表す情報とを送信し、前記計測部は、前記受信部が端末装置のユーザの識別情報とデータ通信量を無制限にしないことを表す情報とを受信した場合に、該端末装置からのデータ量を利用データ量として計測する、通信システムである。
（３）本発明の一態様は、上記（１）又は上記（２）に記載の通信システムにおいて、前記第１の情報は、基地局がカバーするエリアがデータ通信量を無制限にするエリアに該当するか否かを表す情報である、通信システムである。
（４）本発明の一態様は、上記（１）から上記（３）のいずれか一項に記載の通信システムにおいて、前記第２の情報は、端末装置が位置登録する際に、該端末装置が送信する情報である、通信システムである。
（５）本発明の一態様は、基地局から送信されるトラフィック情報に基づいて、該基地局がカバーするエリアに在圏した端末装置のデータ通信量を無制限にするか否かを判定するための第１の情報を生成する生成部と、前記生成部が生成した前記第１の情報と端末装置から取得する第２の情報とに基づいて、該端末装置のデータ通信量を無制限にするか否かを判定する判定部と、前記判定部が該端末装置のデータ通信量を無制限にすると判定した場合に、データ量計測サーバへ、該端末装置のユーザの識別情報とデータ通信量を無制限にすることを表す情報とを送信するとともに、該端末装置へ、データ通信量を無制限することを通知する送信部とを備える、管理サーバである。
（６）本発明の一態様は、端末装置が送信するデータを受信する受信部と、前記受信部によって受信される前記端末装置からのデータ量を計測する計測部とを備え、前記計測部は、前記受信部が端末装置のユーザの識別情報と、データ通信量を無制限にすることを表す情報とを受信した場合に、該端末装置からのデータ量を利用データ量として計測しない、データ量計測サーバである。
（７）本発明の一態様は、管理サーバによって実行される管理方法であって、基地局から送信されるトラフィック情報に基づいて、該基地局がカバーするエリアに在圏した端末装置のデータ通信量を無制限にするか否かを判定するための第１の情報を生成するステップと、前記生成するステップにおいて生成した第１の情報と端末装置から取得する第２の情報とに基づいて、該端末装置のデータ通信量を無制限にするか否かを判定するステップと、前記判定するステップにおいて該端末装置のデータ通信量を無制限にすると判定した場合に、データ量計測サーバへ、該端末装置のユーザの識別情報とデータ通信量を無制限にすることを表す情報とを送信するステップと、前記判定するステップにおいて該端末装置のデータ通信量を無制限にすると判定した場合に、該端末装置へ、データ通信量を無制限することを通知するステップとを有する、管理方法である。
（８）本発明の一態様は、データ量計測サーバによって実行される計測方法であって、端末装置が送信するデータを受信するステップと、端末装置のユーザの識別情報とデータ通信量を無制限にすることを表す情報とを受信するステップと、該端末装置からのデータ量を利用データ量として計測しないステップとを有する、計測方法である。
（９）本発明の一態様は、管理サーバのコンピュータに、基地局から送信されるトラフィック情報に基づいて、該基地局がカバーするエリアに在圏した端末装置のデータ通信量を無制限にするか否かを判定するための第１の情報を生成するステップと、前記生成するステップにおいて生成した第１の情報と端末装置から取得する第２の情報とに基づいて、該端末装置のデータ通信量を無制限にするか否かを判定するステップと、前記判定するステップにおいて該端末装置のデータ通信量を無制限にすると判定した場合に、データ量計測サーバへ、該端末装置のユーザの識別情報とデータ通信量を無制限にすることを表す情報とを送信するステップと、前記判定するステップにおいて該端末装置のデータ通信量を無制限にすると判定した場合に、該端末装置へ、データ通信量を無制限することを通知するステップとを実行させる、プログラムである。
（１０）本発明の一態様は、データ量計測サーバのコンピュータに、端末装置が送信するデータを受信するステップと、端末装置のユーザの識別情報とデータ通信量を無制限にすることを表す情報とを受信するステップと、該端末装置からのデータ量を利用データ量として計測しないステップとを実行させる、プログラムである。
（１１）本発明の一態様は、管理サーバと、データ量計測サーバとを備える通信システムであって、管理サーバは、一又は複数の基地局の各々から送信されるトラフィック情報に基づいて、該一又は複数の基地局のうち、在圏した端末装置のデータ通信量を無制限にする基地局の識別情報を取得する取得部と、データ量計測サーバへ、前記取得部が取得した基地局の識別情報を送信するとともに、該基地局がカバーしているエリアに在圏した端末装置へ、データ通信量を無制限することを通知する送信部とを備え、前記データ量計測サーバは、基地局から、端末装置が送信したデータと該端末装置が在圏している基地局の識別情報とを受信する受信部と、前記受信部が受信した該端末装置が送信したデータ量を計測する計測部とを備え、前記受信部は、前記管理サーバから基地局の識別情報を受信し、前記計測部は、前記管理サーバから受信した前記基地局の識別情報に、基地局から受信した基地局の識別情報が含まれる場合に、該基地局に在圏する端末装置からのデータ量を利用データ量として計測しない、通信システムである。
（１２）本発明の一態様は、上記（１１）に記載の通信システムにおいて、前記取得部は、一又は複数の基地局の各々から送信されるトラフィック情報に基づいて、トラフィック量が閾値未満である基地局の識別情報を取得する、通信システムである。
（１３）本発明の一態様は、上記（１１）又は上記（１２）に記載の通信システムにおいて、前記計測部は、前記管理サーバから受信した前記基地局の識別情報に、基地局から受信した基地局の識別情報が含まれる状態から、含まれない状態になった場合に、含まれない状態となった基地局に在圏する端末装置からのデータ量を利用データ量として計測する、通信システムである。
（１４）本発明の一態様は、一又は複数の基地局の各々から送信されるトラフィック情報に基づいて、該一又は複数の基地局のうち、在圏した端末装置のデータ通信量を無制限にする基地局の識別情報を取得する取得部と、データ量計測サーバへ、前記取得部が取得した基地局の識別情報を送信するとともに、該基地局がカバーしているエリアに在圏した端末装置へ、データ通信量を無制限することを通知する送信部とを備える、管理サーバである。
（１５）本発明の一態様は、基地局から、端末装置が送信したデータと該端末装置が在圏している基地局の識別情報とを受信する受信部と、前記受信部が受信した該端末装置が送信したデータ量を計測する計測部とを備え、前記受信部は、管理サーバから、基地局の識別情報を受信し、前記計測部は、前記管理サーバから受信した前記基地局の識別情報に、基地局から受信した基地局の識別情報が含まれる場合に、該基地局に在圏する端末装置からのデータ量を利用データ量として計測しない、データ量計測サーバである。
（１６）本発明の一態様は、管理サーバによって実行される管理方法であって、一又は複数の基地局の各々から送信されるトラフィック情報に基づいて、該一又は複数の基地局のうち、在圏した端末装置のデータ通信量を無制限にする基地局の識別情報を取得するステップと、データ量計測サーバへ、前記取得するステップにおいて取得した基地局の識別情報を送信するとともに、該基地局がカバーしているエリアに在圏した端末装置へ、データ通信量を無制限することを通知するステップとを有する、管理方法である。
（１７）本発明の一態様は、データ量計測サーバによって実行される計測方法であって、基地局から、端末装置が送信したデータと該端末装置が在圏している基地局の識別情報とを受信するステップと、前記受信するステップにおいて受信した該端末装置が送信したデータ量を計測するステップと、管理サーバから、基地局の識別情報を受信するステップと、前記管理サーバから受信した前記基地局の識別情報に、基地局から受信した基地局の識別情報が含まれる場合に、該基地局に在圏する端末装置からのデータ量を利用データ量として計測しないステップとを有する、計測方法である。
（１８）本発明の一態様は、管理サーバのコンピュータに、一又は複数の基地局の各々から送信されるトラフィック情報に基づいて、該一又は複数の基地局のうち、在圏した端末装置のデータ通信量を無制限にする基地局の識別情報を取得するステップと、データ量計測サーバへ、前記取得するステップにおいて取得した基地局の識別情報を送信するステップと、該基地局がカバーしているエリアに在圏した端末装置へ、データ通信量を無制限することを通知するステップとを実行させる、プログラムである。
（１９）本発明の一態様は、データ量計測サーバのコンピュータに、基地局から、端末装置が送信したデータと該端末装置が在圏している基地局の識別情報とを受信するステップと、前記受信するステップにおいて受信した該端末装置が送信したデータ量を計測するステップと、管理サーバから、基地局の識別情報を受信するステップと、基地局から受信した基地局の識別情報のうち、前記管理サーバから受信した前記基地局の識別情報に含まれる基地局の識別情報に対応する基地局に在圏する端末装置からのデータ量を利用データ量として計測しないステップとを実行させる、プログラムである。
【発明の効果】
【０００６】
本発明の実施形態によれば、端末装置をトラフィックが低い無線基地局への移動を促し、ユーザのデータ利用を促進することができる。
【図面の簡単な説明】
【０００７】
【図１】実施形態に係る無線通信システムを示す図である。
【図２】実施形態に係る無線通信システムを示す概略図である。
【図３】実施形態に係る基地局、サービス管理サーバ、及びデータ量計測サーバのハードウェア構成の一例を示す図である。
【図４】実施形態に係る無線通信システムの一例を示す機能ブロック図である。
【図５】トラフィック量テーブルの一例を示す図である。
【図６】サービス提供対象ユーザＩＤの一例を示す図である。
【図７】課金テーブルの一例を示す図である。
【図８】実施形態に係る無線通信システムの動作（その１）の一例を示すシーケンスチャートである。
【図９】実施形態に係る無線通信システムの動作（その２）の一例を示すシーケンスチャートである。
【図１０】実施形態に係る通信システムの一例を示す機能ブロック図である。
【図１１】サービス提供対象基地局ＩＤの一例を示す図である。
【図１２】実施形態に係る通信システムの動作（その１）の一例を示すシーケンスチャートである。
【図１３】実施形態に係る無線通信システムの動作（その２）の一例を示すシーケンスチャートである。
【発明を実施するための形態】
【０００８】
＜第１の実施形態＞
＜無線通信システム＞
図１は、本実施形態に係る無線通信システムを示す。無線通信システムは、端末装置１００ａと端末装置１００ｂと端末装置１００ｃと端末装置１００ｄと端末装置１００ｅと基地局２００ａと基地局２００ｂとサービス管理サーバ３００とデータ量計測サーバ４００とを備えている。基地局２００ａ、基地局２００ｂ、サービス管理サーバ３００、及びデータ量計測サーバ４００は、セルラー通信網等のネットワーク５０と接続される。ネットワーク５０の一例はＬＴＥにしたがって構築された通信網である。ただし、ネットワーク５０は、ＬＴＥにしたがって構築された通信網に限られず、ＬＴＥにしたがって構築された通信網以外の３Ｇ等の通信網を適用できる。以下、端末装置１００ａと、端末装置１００ｂと、端末装置１００ｃと、端末装置１００ｅとを区別しない場合には端末装置１００と記載する。また、基地局２００ａと、基地局２００ｂとを区別しない場合には基地局２００と記載する。
【０００９】
基地局２００は、無線基地局であるとともに、無線アクセス制御機能を有した通信制御装置である。基地局２００は、端末装置１００から位置登録要求があった際の受付制御機能等を有している。また、基地局２００は、ＬＴＥエリアを形成しており、端末装置１００がＬＴＥエリア内に在圏する場合に、基地局２００及び端末装置１００間でＬＴＥ方式に従った無線通信を行うことができる。端末装置１００は、基地局２００を介して該基地局２００の上位の装置であるＭＭＥ等と通信を行う。基地局２００は、当該基地局２００のトラフィック量を測定し、該トラフィック量の測定結果と基地局ＩＤ等の基地局２００の識別情報とを含むトラフィック情報をサービス管理サーバ３００へ送信する。
端末装置１００は、音声や文字によって他の装置との間で相互に通信が可能な通信装置であり、端末装置１００の一例は、携帯電話、スマートフォン、タブレット端末等である。端末装置１００は、基地局２００と接続することによって、ネットワーク５０を経由して、他の装置との間で相互に通信が可能である。端末装置１００は、基地局２００がカバーするエリアに位置した場合、当該基地局２００へ位置登録要求を送信する。位置登録要求には、端末装置ＩＤ等の端末装置１００の識別情報と、基地局ＩＤとが含まれる。基地局２００は、端末装置１００からの位置登録要求を受信すると、サービス管理サーバ３００へ、当該位置登録要求を送信する。サービス管理サーバ３００は、当該位置登録要求を受信すると、位置登録に係る各種処理を実行する。
【００１０】
サービス管理サーバ３００は、当該サービス管理サーバ３００が管理する一又は複数の基地局２００の基地局ＩＤの各々と、該基地局２００から受信したトラフィック情報に含まれるトラフィック量とを関連付けて記憶する。サービス管理サーバ３００は、基地局２００が送信するトラフィック情報に含まれるトラフィック量に基づいて、該基地局２００がカバーするエリアに在圏する端末装置１００へサービスを提供するか否かを判定するための情報（以下、「判定情報」という）を生成する。端末装置１００へ提供するサービスの一例は、端末装置１００が送信するデータのデータ量を無制限にすることである。この場合、端末装置１００のユーザには、所定の利用可能なデータ通信量から消費されなかったり、利用したデータ量に対して課金されなかったりする。
サービス管理サーバ３００は、基地局２００から端末装置１００の位置登録要求を受信すると、該位置登録要求に含まれる基地局ＩＤと判定情報とに基づいて、該基地局２００がカバーするエリアに在圏する端末装置１００へサービスを提供するか否かを判定する。サービス管理サーバ３００は、端末装置１００へサービスを提供すると判定した場合、該端末装置１００の端末装置ＩＤに対応するユーザＩＤとサービス提供対象であることを示す情報とをデータ量計測サーバ４００へ送信するとともに、端末装置１００へサービス提供対象であることを示す情報を通知する。
端末装置１００は、サービス管理サーバ３００からサービス提供対象であることを示す情報が通知されると、サービスが提供されることを表示する。端末装置１００から送信されるデータは、基地局２００を経由して、データ量計測サーバ４００に受信され、その後送信先へ送信される。データ量計測サーバ４００は、端末装置１００が送信したデータを受信すると、当該データを利用データ量として計測しない。
【００１１】
図２は、本実施形態に係る無線通信システムの概略図である。図２は、図１に示した無線通信システムにおいて、端末装置１００ａと端末装置１００ｂと端末装置１００ｃと端末装置１００ｄと端末装置１００ｅと基地局２００ａと基地局２００ｂとを示す。基地局２００ａはエリア２５０ａをカバーし、基地局２００ｂはエリア２５０ｂをカバーする。エリア２５０ａには、端末装置１００ａと端末装置１００ｂと端末装置１００ｃと端末装置１００ｅが在圏し、エリア２５０ｂには、端末装置１００ｅが在圏する。図２に示される例では、基地局２００ｂと比較して、基地局２００ａの方が、在圏している端末装置が多いため、トラフィック量が高いと想定される。このような状況が継続した場合には、基地局２００ａに輻輳が発生するおそれがあるため、基地局２００ａがカバーするエリアに在圏する端末装置を、基地局２００ｂがカバーするエリアに在圏するように促すのが好ましい。そこで、無線通信システムでは、基地局２００ｂがカバーするエリアに在圏した端末装置に所定のサービスを提供することによって、基地局２００ａがカバーするエリアから、基地局２００ｂがカバーするエリアへの移動を促す。無線通信システムは、前述したように、端末装置１００が送信するデータのデータ量を無制限にするサービスを端末装置１００へ提供する。これによって、端末装置１００のユーザは、所定のデータ利用量からの消費や利用データへの課金を気にせずにデータ通信ができるため、基地局２００ｂがカバーするエリアに移動しようとするインセンティブが働く。このため、例えば、イベント会場に基地局２００ｂを設置した場合に、ユーザに対して、そのイベント会場に入ることを促すことができる。
【００１２】
＜基地局の構成＞
図３は、基地局２００のハードウェア構成の一例を示す。基地局２００は、ＣＰＵ２０２とメモリ２０４と不揮発性メモリ２０６と通信Ｉ／Ｆ２０８と内部バス２１０とを備えている。ＣＰＵ２０２は、例えば不揮発性メモリ２０６に記憶されるプログラム２０６２を実行し、メモリ２０４をワークメモリとして使用して、基地局２００の各部を制御する。メモリ２０４は、半導体素子を利用した揮発性のメモリ等のＲＡＭによって構成される。メモリ２０４は、ＣＰＵ２０２のワークメモリとして使用される。不揮発性メモリ２０６は、例えばハードディスクやＲＯＭ等によって構成され、ＣＰＵ２０２によって実行されるプログラムが記憶される。通信Ｉ／Ｆ２０８は、端末装置１００、サービス管理サーバ３００、データ量計測サーバ４００等の外部機器と通信して、各種データの送受信を行うためのインターフェースである。内部バス２１０は、ＣＰＵ２０２、メモリ２０４、不揮発性メモリ２０６、通信Ｉ／Ｆ２０８を互いに接続する。内部バス２１０に接続される各部は、内部バス２１０を介して互いにデータのやりとりを行うことができるようにされている。
＜サービス管理サーバ、及びデータ量計測サーバの構成＞
サービス管理サーバ３００及びデータ量計測サーバ４００のハードウェア構成は、図３を適用できる。ただし、サービス管理サーバ３００の不揮発性メモリ２０６にはサービス管理サーバ３００のＣＰＵ２０２によって実行されるプログラム２０６２が記憶される。また、データ量計測サーバ４００の不揮発性メモリ２０６にはデータ量計測サーバ４００のＣＰＵ２０２によって実行されるプログラム２０６２が記憶される。
【００１３】
＜本実施形態に係る無線通信システムの機能構成＞
図４は、本実施形態の無線通信システムを構成する基地局２００、サービス管理サーバ３００、及びデータ量計測サーバ４００の機能ブロック図である。
＜基地局の機能構成＞
基地局２００（２００ａ、２００ｂ）は、通信部２５２（２５２ａ、２５２ｂ）、通信制御部２５６（２５６ａ、２５６ｂ）、無線通信部２６０（２６０ａ、２６０ｂ）、記憶部２６２（２６２ａ、２６２ｂ）、及び上記各構成要素を図４に示されているように電気的に接続するためのアドレスバスやデータバス等のバスライン２６４（２６４ａ、２６４ｂ）を有している。これらの各部は、図４に示されている各構成要素のいずれかが、基地局２００（２００ａ、２００ｂ）において、不揮発性メモリ２０６からメモリ２０４上に展開されたプログラム２０６２を実行するＣＰＵ２０２によって動作することで実現される機能である。
図３及び図４を用いて、基地局２００の各機能構成について詳細に説明する。通信部２５２は、ＣＰＵ２０２、及び通信Ｉ／Ｆ２０８によって実現される。通信部２５２は、ネットワーク５０を介して、サービス管理サーバ３００、データ量計測サーバ４００等の他の装置との間で各種データの送受信を行う。通信制御部２５６は、ＣＰＵ２０２によって実現される。通信制御部２５６は、無線通信部２６０と端末装置１００との間でＬＴＥによる接続処理や、通信制御を行う。通信制御部２５６は、基地局２００の識別情報を付帯したトラフィック情報を作成し、通信部２５２からサービス管理サーバ３００へ送信する制御を行う。具体的には、通信制御部２５６は、在圏する端末装置１００の数、滞留データ量、無線リソースの利用率等に基づいて、当該基地局２００のトラフィック量を計測し、トラフィック量の測定結果と基地局２００の基地局ＩＤとを含むトラフィック情報を作成し、通信部２５２からサービス管理サーバ３００へ送信する。通信制御部２５６は、無線通信部２６０が端末装置１００から受信した位置登録要求を、通信部２５２からサービス管理サーバ３００へ送信する。無線通信部２６０は、ＣＰＵ２０２、及び通信Ｉ／Ｆ２０８によって実現される。無線通信部２６０は、無線通信によって、端末装置１００等の他の装置との間で各種データの送受信を行う。記憶部２６２は、不揮発性メモリ２０６によって実現され、基地局２００の基地局ＩＤを記憶する。
【００１４】
＜サービス管理サーバの機能構成＞
サービス管理サーバ３００は、通信部３５２、通信制御部３５６、生成部３５８、判定部３６０、記憶部３６２、及び上記各構成要素を電気的に接続するためのアドレスバスやデータバス等のバスライン３６４を有している。これらの各部は、図４に示されている各構成要素のいずれかが、サービス管理サーバ３００において、不揮発性メモリ２０６からメモリ２０４上に展開されたプログラム２０６２を実行するＣＰＵ２０２によって動作することで実現される機能である。記憶部３６２には、トラフィック量テーブル３３６２が記憶される。
図３及び図４を用いて、サービス管理サーバ３００の各機能構成について詳細に説明する。通信部３５２は、ＣＰＵ２０２及び通信Ｉ／Ｆ２０８によって実現される。通信部３５２は、ネットワーク５０を介して、基地局２００、データ量計測サーバ４００等の他の装置との間で各種データの送受信を行う。具体的には、通信部３５２は、基地局２００が送信するトラフィック情報を受信し、通信制御部３５６へ出力する。通信部３５２は、基地局２００が送信する端末装置１００からの位置登録要求を受信し、通信制御部３５６へ出力する。通信部３５２は、データ量計測サーバ４００へユーザＩＤとサービス提供対象であることを示す情報とを送信する。通信部３５２は、端末装置１００へサービス提供対象であることを示す情報をプッシュ送信する。通信制御部３５６は、ＣＰＵ２０２によって実現される。通信制御部３５６は、通信部３５２と基地局２００の通信部２５２との間での接続処理や、通信制御を行う。具体的には、通信制御部３５６は、通信部３５２がトラフィック情報を出力すると、該トラフィック情報を生成部３５８へ出力する。通信制御部３５６は、通信部３５２が位置登録要求を出力すると、該位置登録要求を判定部３６０へ出力する。通信制御部３５６は、通信部３５２とデータ量計測サーバ４００の通信部４５２との間での接続処理や、通信制御を行う。具体的には、通信制御部３５６は、データ量計測サーバ４００へユーザＩＤとサービス提供対象であることを示す情報とを送信する。生成部３５８は、ＣＰＵ２０２によって実現される。生成部３５８は、通信制御部３５６からトラフィック情報が出力されると、該トラフィック情報に含まれる基地局ＩＤとトラフィック量とを関連付けて、トラフィック量テーブル３３６２に記憶する。生成部３５８は、トラフィック量テーブル３３６２を参照し、判定情報を生成し、該判定情報を、判定部３６０へ出力する。具体的には、生成部３５８は、サービスを提供する端末装置１００が在圏する基地局ＩＤを設定する。例えば、生成部３５８は、サービス管理サーバ３００が管理する一又は複数の基地局２００から受信したトラフィック情報に含まれるトラフィック量のうち、トラフィック量が低い基地局から１０％、５０％等の所定の割合に属する基地局ＩＤを判定情報としてもよいし、トラヒック量が所定の閾値以下に属する基地局ＩＤを判定情報としてもよい。
【００１５】
判定部３６０は、ＣＰＵ２０２によって実現される。判定部３６０は、通信制御部３５６から位置登録要求が出力されると、該位置登録要求に含まれる基地局ＩＤが、生成部３５８から出力された基地局ＩＤに含まれるか否かを判定する。判定部３６０は、位置登録要求に含まれる基地局ＩＤが生成部３５８から出力された基地局ＩＤに含まれる場合、位置登録要求に含まれる基地局ＩＤに対応する基地局へ位置登録を行った端末装置１００へサービスを提供すると判定する。一方、判定部３６０は、位置登録要求に含まれる基地局ＩＤが生成部３５８から出力された基地局ＩＤに含まれない場合、位置登録要求に含まれる基地局ＩＤに対応する基地局へ位置登録を行った端末装置１００へサービスを提供しないと判定する。判定部３６０は、位置登録を行った端末装置１００へサービスを提供すると判定した場合、該端末装置１００の端末装置ＩＤに対応するユーザＩＤを取得し、取得したユーザＩＤとサービス提供対象であることを示す情報とを通信制御部３５６へ出力する。ここで、サービス管理サーバ３００は端末装置ＩＤとユーザＩＤとを関連付けたテーブルを記憶し、判定部３６０は該テーブルから端末ＩＤに対応するユーザＩＤを取得してもよい。一方、判定部３６０は、位置登録要求に含まれる基地局ＩＤが生成部３５８から出力された基地局ＩＤに含まれない場合、位置登録を行った端末装置１００へサービスを提供しないと判定する。通信制御部３５６は、判定部３６０からユーザＩＤとサービス提供対象であることを示す情報とが出力されると、該ユーザＩＤとサービス提供対象であることを示す情報とを通信部３５２からデータ量計測サーバ４００へ送信する。さらに、通信制御部３５６は、判定部３６０からユーザＩＤとサービス提供対象であることを示す情報とが出力されると、サービス提供対象であることを示す情報を、通信部３５２から端末装置１００へＰＵＳＨ送信する。記憶部３６２は、不揮発性メモリ２０６によって実現され、サービス管理サーバ３００のサービス管理サーバＩＤ等のサービス管理サーバ３００の識別情報とトラフィック量テーブル３３６２とを記憶する。
＜トラフィック量テーブル＞
図５は、トラフィック量テーブルの一例を示す。トラフィック量テーブルには、基地局ＩＤとトラフィック量とが関連付けて記憶される。図４に戻り説明を続ける。
＜データ量計測サーバの機能構成＞
データ量計測サーバ４００は、通信部４５２、通信制御部４５６、計測部４５８、課金部４６０、記憶部４６２及び上記各構成要素を電気的に接続するためのアドレスバスやデータバス等のバスライン４６４を有している。これらの各部は、図４に示されている各構成要素のいずれかが、データ量計測サーバ４００において、不揮発性メモリ２０６からメモリ２０４上に展開されたプログラム２０６２を実行するＣＰＵ２０２によって動作することで実現される機能である。記憶部４６２は、サービス提供対象ユーザＩＤ４４６２と、課金テーブル４４６４とを記憶する。
【００１６】
図３及び図４を用いて、データ量計測サーバ４００の各機能構成について詳細に説明する。通信部４５２は、ＣＰＵ２０２、及び通信Ｉ／Ｆ２０８によって実現される。通信部４５２は、ネットワーク５０を介して、基地局２００、サービス管理サーバ３００等の他の装置との間で各種データの送受信を行う。具体的には、通信部４５２は、サービス管理サーバ３００からユーザＩＤとサービス提供対象であることを示す情報とを受信し、該ユーザＩＤとサービス提供対象であることを示す情報とを通信制御部４５６へ出力する。また、通信部４５２は、端末装置１００が送信したデータを、基地局２００を経由して受信し、該データを通信制御部４５６へ出力する。通信制御部４５６は、ＣＰＵ２０２、及び通信Ｉ／Ｆ２０８によって実現される。通信制御部４５６は、通信部４５２と、サービス管理サーバ３００の通信部３５２との間での接続処理や、通信制御を行う。通信制御部４５６は、通信部４５２からユーザＩＤとサービス提供対象であることを示す情報とを取得すると、該ユーザＩＤを、記憶部４６２のサービス提供対象ユーザＩＤに記憶する。また、通信制御部４５６は、通信部４５２から出力されるデータに含まれる端末装置ＩＤに対応するユーザＩＤを取得し、取得したユーザＩＤを計測部４５８へ出力する。ここで、データ量計測サーバ４００は端末装置ＩＤとユーザＩＤとを関連付けたテーブルを記憶し、通信制御部４５６は該テーブルから端末ＩＤに対応するユーザＩＤを取得してもよい。
計測部４５８は、ＣＰＵ２０２によって実現される。計測部４５８は、通信制御部４５６から出力されたユーザＩＤが記憶部４６２のサービス提供対象ユーザＩＤ４４６２に含まれるか否かを判定する。計測部４５８は、通信制御部４５６から出力されたユーザＩＤが記憶部４６２に記憶されているサービス提供対象ユーザＩＤ４４６２に含まれる場合、該ユーザＩＤに対応する端末装置１００はサービス提供対象であると判定する。この場合、計測部４５８は、該端末装置１００から送信されたデータを利用データ量の対象データとして計測しないようにしてもよいし、そもそもデータ量自体を計測しなくてもよい。一方、計測部４５８は、通信制御部４５６から出力されたユーザＩＤが記憶部４６２に記憶されているサービス提供対象ユーザＩＤ４４６２に含まれない場合、該ユーザＩＤに対応する端末装置１００はサービス提供対象でないと判定する。この場合、計測部４５８は、該端末装置１００から送信されたデータを利用データ量の対象データとして計測する。計測部４５８は、端末装置１００の通信が終了した場合、ユーザＩＤとデータの計測値と該データが課金対象であるか否かを示す情報とを課金部４６０へ出力する。
【００１７】
課金部４６０は、ＣＰＵ２０２によって実現される。課金部４６０は、計測部４５８が入力したユーザＩＤとデータの計測値と該データが課金対象であるか否かを示す情報とに基づいて、課金処理を行う。具体的には、課金部４６０は、課金対象であるか否かを示す情報を参照し、課金対象であるデータについて、該データを送信した端末装置１００のユーザＩＤに課金する料金を求め、課金テーブル４４６４へ記憶する。課金部４６０は、課金の代わりに、課金対象であった場合に、対象のユーザが利用可能なデータ通信量からデータの計測値を消費させ、非課金対象の場合は消費させないようにしてもよい。記憶部４６２は、不揮発性メモリ２０６によって実現される。記憶部４６２は、サービス提供対象ユーザＩＤ４４６２と課金テーブル４４６４とを記憶する。
＜サービス提供対象ユーザＩＤ＞
図６は、サービス提供対象ユーザの一例を示す。サービス提供対象ユーザＩＤ４４６２には、サービスを提供する対象のユーザＩＤが記憶される。ここで、サービスを提供する対象のユーザＩＤは、サービス管理サーバ３００からサービス提供対象であることを示す情報とともに通知される。
＜課金テーブル＞
図７は、課金テーブルの一例を示す。課金テーブル４４６４には、ユーザＩＤと料金とが関連付けて記憶される。ここで、ユーザＩＤと料金とは、課金部４６０から出力される。図７に示される例では、ユーザＩＤ「１１ａａ」と料金「０」とが関連付けられている。これは、ユーザＩＤ「１１ａａ」は、サービスを提供する対象のユーザＩＤであるためである。
【００１８】
＜本実施形態に係る無線通信システムの動作＞
図８は、本実施形態に係る無線通信システムの動作（その１）の一例を示す。図８は、基地局２００のカバーするエリアに在圏した端末装置１００が送信するデータのデータ量を無制限にする処理を示す。
ステップＳ８０２では、基地局２００の通信制御部２５６は、トラフィック情報を生成する。基地局２００の通信部２５２は、通信制御部２５６が生成したトラフィック情報をサービス管理サーバ３００へ送信する。
ステップＳ８０４では、サービス管理サーバ３００の通信部３５２は、基地局２００が送信したトラヒック情報を受信すると、該トラヒック情報を通信制御部３５６へ出力する。通信制御部３５６は、通信部３５２から出力されたトラヒック情報を生成部３５８へ出力する。生成部３５８は、通信制御部３５６からトラフィック情報を取得すると、トラフィック情報に基づいて判定情報を生成する。生成部３５８は、判定部３６０へ、判定情報を出力する。
ステップＳ８０６では、端末装置１００は、基地局２００のカバーするエリアに位置すると、位置登録要求を送信する。具体的には、端末装置１００は、ＭＭＥ（Mobility Management Entity）へ、位置登録要求を送信する。
ステップＳ８０８では、基地局２００の無線通信部２６０は、端末装置１００が送信した位置登録要求を受信すると、通信制御部２５６へ出力する。通信制御部２５６は、無線通信部２６０から位置登録要求を取得すると、該位置登録要求を通信部２５２からサービス管理サーバ３００へ送信する。具体的には、ＭＭＥは、端末装置１００からの位置登録要求を受信すると、ＨＳＳ（Home Subscriber Server）へ、当該位置登録要求を送信する。ＨＳＳは、位置登録に係る各種処理を実行する。
【００１９】
ステップＳ８１０では、サービス管理サーバ３００の通信部３５２は、基地局２００が送信した位置登録要求を受信すると、該位置登録要求を、判定部３６０へ出力する。判定部３６０は、生成部３５８から出力された判定情報に、位置登録要求に含まれる基地局ＩＤが含まれるか否かを判定する。ここでは、判定部３６０が、生成部３５８から出力された判定情報に位置登録要求に含まれる基地局ＩＤが含まれると判定した場合について説明を続ける。この場合、判定部３６０は、端末装置１００がサービス提供対象に該当すると判定する。
ステップＳ８１２では、サービス管理サーバ３００の判定部３６０は、端末装置１００の端末装置ＩＤに対応するユーザＩＤとサービス提供対象であることを示す情報とを通信部３５２からデータ量計測サーバ４００へ送信する。
ステップＳ８１４では、サービス管理サーバ３００の判定部３６０は、通信部３５２から端末装置１００へ、サービス提供対象であることを示す情報をプッシュ送信する。
ステップＳ８１６では、端末装置１００は、サービス管理サーバ３００からプッシュ送信されたサービス提供対象であることを示す情報を取得すると、該サービス提供対象であることを示す情報を表示する。
ステップＳ８１８では、端末装置１００は、データを送信する。
ステップＳ８２０では、基地局２００の無線通信部２６０は、端末装置１００が送信したデータを受信すると、該データを通信制御部２５６へ出力する。通信制御部２５６は、無線通信部２６０が出力したデータを取得すると、通信部２５２からデータ量計測サーバ４００へ送信する。
ステップＳ８２２では、データ量計測サーバ４００の通信部４５２は、基地局２００が送信したデータを受信すると、該データを通信制御部４５６へ出力する。通信制御部４５６は、通信部４５２からデータを取得すると、該データを計測部４５８へ出力する。計測部４５８は、通信制御部４５６からデータを取得すると、該データに含まれる端末装置ＩＤに対応するユーザＩＤが記憶部４６２に記憶されるサービス提供対象ユーザＩＤ４４６２に含まれるか否かを判定する。ここでは、計測部４５８が、端末装置ＩＤに対応するユーザＩＤがサービス提供対象ユーザＩＤ４４６２に含まれると判定した場合について説明を続ける。計測部４５８は、通信制御部４５６から取得したデータを、利用データ量の対象データとして計測しない。
【００２０】
図９は、本実施形態に係る無線通信システムの動作（その２）の一例を示す。図９は、端末装置１００が、サービス提供対象から、サービス提供対象ではなくなった場合の動作を示す。
ステップＳ９０２では、サービス管理サーバ３００判定部３６０は、端末装置１００がサービス提供対象に該当しないと判定する。例えば、サービス管理サーバ３００の判定部３６０は、生成部３５８から出力された判定情報に、端末装置１００が送信した位置登録要求に含まれる基地局ＩＤが含まれないと判定する。
ステップＳ９０４では、サービス管理サーバ３００の判定部３６０は、端末装置１００の端末装置ＩＤに対応するユーザＩＤとサービス提供対象でないことを示す情報とを通信部３５２からデータ量計測サーバ４００へ送信する。
ステップＳ９０６では、サービス管理サーバ３００の判定部３６０は、通信部３５２から端末装置１００へ、サービス提供対象でないことを示す情報をプッシュ送信する。
ステップＳ９０８では、端末装置１００は、サービス管理サーバ３００からプッシュ送信されたサービス提供対象でないことを示す情報を取得すると、該サービス提供対象であることを示す情報を表示する。ステップＳ９１０−Ｓ９１２は、図８に示したステップＳ８１８−Ｓ８２０を適用できる。
【００２１】
ステップＳ９１４では、データ量計測サーバ４００の通信部４５２は、基地局２００が送信したデータを受信すると、該データを通信制御部４５６へ出力する。通信制御部２４６は、通信部４５２からデータを取得すると、該データを計測部４５８へ出力する。計測部４５８は、通信制御部２４６からデータを取得すると、該データに含まれる端末装置ＩＤに対応するユーザＩＤが記憶部４６２に記憶されるサービス提供対象ユーザＩＤ４４６２に含まれるか否かを判定する。ここでは、計測部４５８が、端末装置ＩＤに対応するユーザＩＤがサービス提供対象ユーザＩＤ４４６２に含まれないと判定した場合について説明を続ける。計測部４５８は、通信制御部４５６から取得したデータを、利用データ量の対象データとして計測する。
【００２２】
前述した実施形態では、サービス管理サーバ３００が管理する一又は複数の基地局２００から受信したトラフィック情報に含まれるトラフィック量のうち、トラフィック量が低い基地局から所定の割合に属する基地局ＩＤを判定情報とする場合について説明したが、この例に限られない。例えば、サービス管理サーバ３００が管理する一又は複数の基地局２００から在圏する端末装置の数を示す情報を受信し、受信した在圏する端末装置の数を示す情報のうち、端末装置の数が少ない基地局から所定の割合に属する基地局ＩＤを判定情報とするようにしてもよい。前述した実施形態では、端末装置ＩＤに対応するユーザＩＤがサービス提供対象ユーザＩＤ４４６２に含まれる場合にサービスを提供すると判定し、含まれないようになった場合にサービスを提供しないと判定しない場合について説明したが、この例に限られない。例えば、サービスの提供を開始してから所定の時間の間サービスを提供するようにしてもよい。
【００２３】
本実施形態に係る無線通信システムによれば、基地局２００は、該基地局２００のトラヒック量をサービス管理サーバ３００へ通知する。サービス管理サーバ３００は、基地局２００から取得したトラヒック量に基づいて、該基地局２００がカバーするエリアに在圏する端末装置１００へサービスを提供するか否かを判定するための判定情報を求める。そして、サービス管理サーバ３００は、端末装置１００が送信した位置登録要求に含まれる情報に基づいて、該端末装置１００へサービスを提供するか否かを判定する。サービスを提供すると判定した場合、サービス管理サーバ３００は、データ量計測サーバ４００へ、端末装置１００の端末装置ＩＤに対応するユーザＩＤとサービス提供対象であることを示す情報とを通知する。データ量計測サーバ４００は、端末装置１００が送信したデータに含まれる情報に基づいて、該端末装置１００のユーザに対してサービスを提供するか否かを判定する。つまり、在圏する端末装置へサービスを提供する対象の基地局２００がカバーするエリアへ端末装置１００が在圏した場合、該端末装置１００へサービスが提供される。このため、端末装置１００のユーザに対して、該基地局２００の通信エリアへ入ることを促すことができる。
【００２４】
＜第２の実施形態＞
＜無線通信システム＞
本実施形態に係る無線通信システムは、図１−図３を適用できる。ただし、サービス管理サーバ３００の代わりにサービス管理サーバ５００を備え、データ量計測サーバ４００の代わりにデータ量計測サーバ６００を備える。サービス管理サーバ５００、及びデータ量計測サーバ６００のハードウェア構成は、図３を適用できる。第１の実施形態に係る無線通信システムでは、サービス管理サーバ３００は、端末装置１００から位置登録要求が送信される度に、該位置登録要求に含まれる基地局ＩＤが判定情報に含まれるか否かを判定していた。そして、サービス管理サーバ３００は、基地局ＩＤが判定情報に含まれると判定される度にデータ量計測サーバ４００へ、ユーザＩＤとサービス提供対象であることを示す情報を送信していた。これに対し、第２の実施形態に係る無線通信システムでは、サービス管理サーバ５００は、基地局２００からトラフィック情報を取得すると、該トラフィック情報に含まれるトラフィック量に基づいて、該基地局２００がカバーするエリアに在圏する端末装置１００へサービスを提供するか否かを判定する。そして、サービス管理サーバ５００は、サービスを提供すると判定した基地局２００の基地局ＩＤをデータ量計測サーバ６００へ通知する。データ量計測サーバ６００は、基地局２００が送信したデータについて、該データを送信した基地局がサービスを提供すると判定した基地局２００に該当する場合に、該データについては利用データ量の対象データとして計測しない。
【００２５】
＜本実施形態に係る無線通信システムの機能構成＞
図１０は、本実施形態の無線通信システムを構成する基地局２００、サービス管理サーバ５００、及びデータ量計測サーバ６００の機能ブロック図である。
サービス管理サーバ５００は、通信部５５２、通信制御部５５６、取得部５５８、判定部５６０、及び記憶部５６２を有している。記憶部５６２には、トラフィック量テーブル５３６２が記憶される。通信部５５２、通信制御部５５６、取得部５５８、判定部５６０、及び記憶部５６２は、サービス管理サーバ３００の通信部３５２、通信制御部３５６、生成部３５８、判定部３６０、及び記憶部３６２を適用できる。ただし、取得部５５８は、トラフィック量テーブル５３６２を参照し、トラフィック量テーブル５３６２に含まれるトラフィック量のうち、トラフィック量が低い基地局から１０％、５０％等の所定の割合に属する基地局ＩＤをサービス提供対象の基地局ＩＤとして取得してもよいし、トラヒック量が所定の閾値以下に属する基地局ＩＤを取得してもよい。取得部５５８は、取得した基地局ＩＤを、通信部５５２からデータ量計測サーバ６００へ送信する。
判定部５６０は、通信制御部５５６から位置登録要求が出力されると、該位置登録要求に含まれる基地局ＩＤが、サービス提供対象の基地局ＩＤに含まれるか否かを判定する。判定部５６０は、位置登録要求に含まれる基地局ＩＤがサービス提供対象の基地局ＩＤに含まれる場合、位置登録を行った端末装置１００へサービスを提供すると判定する。一方、判定部５６０は、位置登録要求に含まれる基地局ＩＤがサービス提供対象の基地局ＩＤに含まれない場合、位置登録を行った端末装置１００へサービスを提供しないと判定する。判定部５６０は、位置登録を行った端末装置１００へサービスを提供すると判定した場合、サービス提供対象であることを示す情報を通信制御部５５６へ出力する。通信制御部５５６は、判定部５６０からサービス提供対象であることを示す情報が出力されると、該サービス提供対象であることを示す情報を通信部５５２から端末装置１００へＰＵＳＨ送信する。
【００２６】
データ量計測サーバ６００は、通信部６５２、通信制御部６５６、計測部６５８、課金部６６０、及び記憶部６６２を有している。記憶部６６２には、サービス提供対象基地局ＩＤ６６６２と課金テーブル６６６４とが記憶される。
＜データ量計測サーバの各機能構成＞
データ量計測サーバ６００の通信部６５２、通信制御部６５６、計測部６５８、課金部６６０、及び記憶部６６２は、データ量計測サーバ４００の通信部４５２、通信制御部４５６、計測部４５８、課金部４６０、及び記憶部４６２を適用できる。ただし、通信部６５２は、サービス管理サーバ５００からサービス提供対象の基地局ＩＤを受信し、該基地局ＩＤを通信制御部６５６へ出力する。通信制御部６５６は、通信部６５２から基地局ＩＤを取得すると、該基地局ＩＤを、記憶部６６２のサービス提供対象基地局ＩＤ６６６２に記憶する。また、通信制御部６５６は、通信部６５２から出力されるデータに含まれる端末装置ＩＤに対応するユーザＩＤと基地局ＩＤとを取得し、取得したユーザＩＤと基地局ＩＤとを計測部６５８へ出力する。計測部６５８は、通信制御部６５６から出力された基地局ＩＤが記憶部６６２のサービス提供対象基地局ＩＤ６６６２に含まれるか否かを判定する。計測部６５８は、通信制御部６５６から出力された基地局ＩＤが記憶部６６２に記憶されているサービス提供対象基地局ＩＤ６６６２に含まれる場合、該基地局ＩＤに対応する基地局２００へ位置登録要求を送信した端末装置１００はサービス提供対象であると判定する。一方、計測部６５８は、通信制御部６５６から出力された基地局ＩＤが記憶部６６２に記憶されているサービス提供対象基地局ＩＤ６６６２に含まれない場合、該基地局ＩＤに対応する基地局２００へ位置登録要求を送信した端末装置１００はサービス提供対象でないと判定する。記憶部６６２は、サービス提供対象基地局ＩＤ６６６２と課金テーブル６６６４とを記憶する。
図１１は、サービス提供対象基地局ＩＤの一例を示す。サービス提供対象基地局ＩＤ６６６２には、サービスを提供する対象の基地局ＩＤが記憶される。ここで、サービスを提供する対象の基地局ＩＤは、サービス管理サーバ３００から通知される。課金テーブルの一例は、図７を適用できる。
【００２７】
＜本実施形態に係る無線通信システムの動作＞
図１２は、本実施形態に係る無線通信システムの動作の一例を示す。図１２は、基地局２００のカバーするエリアに在圏した端末装置１００が送信するデータのデータ量を無制限にする処理を示す。
ステップＳ１２０２は、図８示したステップＳ８０２を適用できる。ステップＳ１２０４では、取得部５５８は、トラフィック量テーブル５５６２に含まれるトラフィック量のうち、トラフィック量が低い基地局から所定の割合に属する基地局ＩＤをサービス提供対象の基地局ＩＤとして取得する。ステップＳ１２０６では、サービス管理サーバ５００の通信部５５２は、取得部５５８が取得した基地局ＩＤを、データ量計測サーバ６００へ送信する。データ量計測サーバ６００の通信部６５２は、サービス管理サーバ５００が送信した基地局ＩＤを受信すると、通信制御部６５６へ出力する。通信制御部６５６は、通信部６５２から基地局ＩＤを取得すると、該基地局ＩＤを、記憶部６６２のサービス提供対象基地局ＩＤに記憶する。ステップＳ１２０８−Ｓ１２１０は、図８に示したステップＳ８０６−Ｓ８０８を適用できる。
【００２８】
ステップＳ１２１２では、サービス管理サーバ５００の判定部５６０は、位置登録要求に含まれる基地局ＩＤがサービス提供対象の基地局ＩＤに含まれる場合、位置登録を行った端末装置１００へサービスを提供すると判定する。一方、判定部５６０は、位置登録要求に含まれる基地局ＩＤがサービス提供対象の基地局ＩＤに含まれない場合、位置登録を行った端末装置１００へサービスを提供しないと判定する。ここでは、判定部５６０が、位置登録要求に含まれる基地局ＩＤが、サービス提供対象の基地局ＩＤに含まれると判定した場合について説明を続ける。ステップＳ１２１４では、判定部５６０は、サービス提供対象であることを示す情報を通信制御部５５６へ出力する。通信制御部５５６は、判定部５６０からサービス提供対象であることを示す情報が出力されると、該サービス提供対象であることを示す情報を通信部５５２から端末装置１００へＰＵＳＨ送信する。ステップＳ１２１６−Ｓ１２２０は、図８に示したステップＳ８１６−Ｓ８２０を適用できる。
ステップＳ１２２２では、データ量計測サーバ６００の通信部６５２は、基地局２００が送信したデータを受信し、通信制御部６５６へ出力する。通信制御部６５６は、通信部６５２からデータを取得すると、該データに含まれる端末装置ＩＤに対応するユーザＩＤと基地局ＩＤとを取得し、取得したユーザＩＤと基地局ＩＤとを計測部６５８へ出力する。計測部６５８は、通信制御部６５６から出力された基地局ＩＤが記憶部６６２に記憶されているサービス提供対象基地局ＩＤ６６６２に含まれる場合、該基地局ＩＤに対応する基地局２００へ位置登録要求を送信した端末装置１００はサービス提供対象であると判定する。
図１３は、本実施形態に係る無線通信システムの動作（その２）の一例を示す。図１３は、端末装置１００が、サービス提供対象から、サービス提供対象ではなくなった場合の動作を示す。ステップＳ１３０２は図９に示したステップＳ９０２を適用でき、ステップＳ１３０４−Ｓ１３１２は図９に示したステップＳ９０６−Ｓ９１４を適用できる。
【００２９】
本実施形態によれば、サービス管理サーバ５００は、サービスを提供すると判定した基地局２００の基地局ＩＤをデータ量計測サーバ６００へ通知し、データ量計測サーバ６００は、基地局２００が送信したデータについて、該データを送信した基地局２００がサービスを提供すると判定した基地局２００に該当する場合に、該データについては利用データ量の対象データとして計測しない。これによって、第１の実施形態に係る無線通信システムと比較して、サービス管理サーバ５００は、基地局ＩＤが判定情報に含まれると判定される度にデータ量計測サーバ６００へ、ユーザＩＤとサービス提供対象であることを示す情報を送信する必要がないため、サービス管理サーバ５００とデータ量計測サーバ６００との間で送受信されるデータ量を減少させることができる。
【００３０】
前述した実施形態においては、無線通信システムが５台の端末装置を備える場合について説明したが、この例に限られない。例えば、無線通信システムが１台−４台の端末装置を備えるようにしてもよく、６台以上の端末装置を備えるようにしてもよい。前述した実施形態においては、無線通信システムが２台の基地局を備える場合について説明したが、この例に限られない。例えば、無線通信システムが３台以上の基地局を備えるようにしもよい。前述した実施形態では、サービス管理サーバ５００が管理する一又は複数の基地局２００から受信したトラフィック情報に含まれるトラフィック量のうち、トラフィック量が低い基地局から所定の割合に属する基地局ＩＤを取得する場合について説明したが、この例に限られない。例えば、サービス管理サーバ５００が管理する一又は複数の基地局２００から在圏する端末装置の数を示す情報を受信し、在圏する端末装置の数を示す情報のうち、端末装置の数が少ない基地局から所定の割合に属する基地局ＩＤを取得するようにしてもよい。
前述した実施形態においては、端末装置１００へ提供するサービスの一例として、端末装置１００が送信するデータのデータ量を無制限にすることについて説明したが、この例に限られない。例えば、端末装置１００へ所定のデータ量を付与してもよい。前述した実施形態においては、端末装置１００が送信した位置登録要求に含まれる基地局ＩＤに基づいて、該端末装置１００へサービスを提供するか否かを判定する場合について説明したがこの例に限られない。例えば、端末装置１００が送信する上りリンクの信号に含まれる情報に基づいて、該端末装置１００へサービスを提供するか否かを判定するようにしてもよい。前述した実施形態では、データを送信した基地局がサービスを提供すると判定した基地局２００に該当する場合に、該データについては利用データ量として計測しない場合について説明したが、この例に限られない。例えば、利用データ量として計測しないとしてから所定の時間の間利用データ量として計測しないとしてもよいし、課金を中止してもよい。前述した実施形態では、サービス管理サーバから端末装置１００にサービス提供対象であることを示す情報を通知する場合について説明したが、この例に限られない。例えば、サービス管理サーバは、トラフィック情報に基づき、無制限に利用できる時間情報を合わせて通知するようにしてもよい。例えば、サービス管理サーバは、トラフィックの少ない時間帯を通知するようにしてもよい。
【００３１】
また、例えば、サービス管理サーバは、トラヒック情報に基づき、無制限に利用できるデータ量や利用データ量の削減率を通知するようにしてもよい。例えば、サービス管理サーバは、トラヒックの少ない時間における、無料のデータ通信量を決めるようにしてもよい。この場合、トラヒックの少ない時間ほど、利用したデータ量の削減率を大きくしてもよい。また、例えば、サービス管理サーバは、トラヒック情報に基づき、災害時に無制限に利用できることを通知してもよい。また、例えば、サービス管理サーバは、無制限に利用できる周辺のエリア情報を通知してもよい。また、例えば、サービス管理サーバは、無制限に利用できる時間が終了する前に無制限に利用できる時間が終了することを通知してもよい。また、前述した実施形態において、端末装置１００のユーザが、サービスの提供を受けようとする場合に、オプション加入料を徴収するようにしてもよい。これによって、通信事業者の一契約あたりの売上をあらわすエーアールピーユー(Average Revenue Per User: ARPU)を増加させることができる。また、前述した実施形態において、端末装置１００の在圏を促す基地局は、前述したイベント会場に加えて、田舎、通勤及び通学経路等のＷｉＦｉを使用して通信できないと想定される場所に設置されてもよい。これによって、イベント会場にいるイベント参加者は、無制限にデータ通信ができる。また、端末装置のユーザは、田舎に帰省した場合に無制限にデータ通信ができる。また、端末装置のユーザは、通勤又は通学の際に、無制限にデータ通信ができる。
【００３２】
また、前述した実施形態において、基地局に、所定の時期及び所定の時間のいずれか一方又は両方の間、端末装置１００の在圏を促すようにしてもよい。具体的には、帰省時期の期間、イベント開催時間等の間、端末装置１００の在圏を促すようにしてもよく、深夜及び早朝のいずれか一方又は両方の間、端末装置１００の在圏を促すようにしてもよい。
また、前述した実施形態において、基地局のトラヒック量が少ない場合でも、ユーザの利用頻度の多い時間は無制限の利用を制限するようにしてもよい。また、前述した実施形態において、基地局種別に応じて、無制限の利用を制限するようにしてもよい。逆に、小型基地局等は影響範囲が狭く、影響が少ないと想定されるので、無制限に利用させるようにしてもよい。また、サービス管理サーバ３００によって実行される処理とデータ量計測サーバ４００によって実行される処理とが一台のサーバによって実行されてもよく、サービス管理サーバ５００によって実行される処理とデータ量計測サーバ６００によって実行される処理とが一台のサーバによって実行されてもよい。前述した第１の実施形態−第２の実施形態が組み合わされてもよい。
【００３３】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更、組合せを行うことができる。これら実施形態及びその変形は、発明の範囲や要旨に含まれると同時に、特許請求の範囲に記載された発明とその均等の範囲に含まれるものである。
なお、前述の端末装置、基地局、データ量計測サーバ、及びサービス管理サーバは内部にコンピュータを有している。そして、前述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
前述した実施形態において、サービス管理サーバは管理サーバの一例であり、判定情報は第１の情報の一例であり、位置登録要求は第２の情報の一例であり、サービス提供対象であることを示す情報はデータ通信量を無制限にすることを表す情報の一例であり、サービス提供対象でないことを示す情報はデータ通信量を無制限にしないことを表す情報の一例である。
【符号の説明】
【００３４】
５０…ネットワーク、１００ａ、１００ｂ、１００ｃ、１００ｄ、１００ｅ…端末装置、２００ａ、２００ｂ…基地局、３００…サービス管理サーバ、４００…データ量計測サーバ、５００…サービス管理サーバ、６００…データ量計測サーバ
【図１】
2018033094.tif 000003
【図２】
2018033094.tif 000004
【図３】
2018033094.tif 000005
【図４】
2018033094.tif 000006
【図５】
2018033094.tif 000007
【図６】
2018033094.tif 000008
【図７】
2018033094.tif 000009
【図８】
2018033094.tif 000010
【図９】
2018033094.tif 000011
【図１０】
2018033094.tif 000012
【図１１】
2018033094.tif 000013
【図１２】
2018033094.tif 000014
【図１３】
2018033094.tif 000015